(57)【要約】  ユーザ装置において、ＤＲＸ状態または上りリンクのタイミング同期が維持されていない状態で、下りリンクにおける同期状態を判定すること。無線基地局（２００）との間で通信を行うように構成されている移動局（１００）において、無線基地局（２００）との間で無線リンクを確立している接続状態で、かつ、間欠受信状態である場合に、無線基地局（２００）により送信された下りリンクのリファレンス信号に基づいて測定されたＲＳＲＰと、無線基地局（２００）から通知されたＱｒｘｌｅｖｍｉｎとを比較して、下りリンクの同期状態を判定する。
2010018818.tif 000002
【特許請求の範囲】
【請求項１】
無線基地局から送信された下りリンクの信号を受信する受信部と、
前記受信部で受信された下りリンクの信号の無線品質を測定する無線品質測定部と、
下りリンクの制御チャネルの監視結果から前記無線基地局との間の通信が間欠受信状態であるか否か管理する状態管理部と、
前記状態管理部から間欠受信状態であるか否かが通知され、前記無線基地局との間で無線リンクを確立している接続状態で、かつ、間欠受信状態である場合に、前記無線品質測定部で測定された無線品質に基づいて、下りリンクの同期状態を判定する同期判定部と、
を具備することを特徴とするユーザ装置。
【請求項２】
請求項１に記載のユーザ装置において、
前記同期判定部は、前記無線基地局との間で無線リンクを確立している接続状態で、かつ、間欠受信状態である場合と、前記無線基地局との間で無線リンクを確立している接続状態で、かつ、間欠受信状態でない場合とで、下りリンクの同期状態を判定するための同期判定方式を切り替えることを特徴とするユーザ装置。
【請求項３】
請求項１又は請求項２記載のユーザ装置において、
前記無線品質測定部は、間欠受信状態である場合の同期判定方式に用いるための第１の無線品質と、間欠受信状態でない場合の同期判定方式に用いるための第２の無線品質とを測定し、
前記同期判定部は、間欠受信状態である場合には第１の無線品質と第１の閾値とを比較して下りリンクの同期状態を判定し、間欠受信状態でない場合には第２の無線品質と第２の閾値とを比較して下りリンクの同期状態を判定する、
ことを特徴とするユーザ装置。
【請求項４】
請求項３記載のユーザ装置において、
前記同期判定部は、第１の無線品質が第１の閾値よりも高い場合に、下りリンクの同期が確立されていると判定し、第１の無線品質が第１の閾値よりも低い場合に、下りリンクの同期が確立されていないと判定することを特徴とするユーザ装置。
【請求項５】
請求項１から請求項４のいずれかに記載のユーザ装置において、
前記下りリンクの信号は、下りリンクのリファレンス信号であり、前記第１の無線品質は、前記下りリンクのリファレンス信号の受信電力であることを特徴とするユーザ装置。
【請求項６】
請求項３から請求項５のいずれかに記載のユーザ装置において、
前記同期判定部は、第１の閾値が報知情報またはRRC messageを用いて前記無線基地局から通知されることを特徴とするユーザ装置。
【請求項７】
請求項３から請求項５のいずれかに記載のユーザ装置において、
前記同期判定部は、前記第１の閾値として待ち受け状態における最小受信レベルを用いることを特徴とするユーザ装置。
【請求項８】
請求項７に記載のユーザ装置において、
前記最小受信レベルは、Qrxlevminであることを特徴とするユーザ装置。
【請求項９】
請求項３から請求項８のいずれかに記載のユーザ装置において、
前記無線品質測定部は、第１の無線品質として下りリンクのリファレンス信号の受信電力を測定し、第２の無線品質として、下りリンクのリファレンス信号の受信SIR、下りリンクのリファレンス信号の受信レベル、チャネル品質インディケータ（Channel Quality Indicator）の内の少なくとも１つを測定し、
前記同期判定部は、間欠受信状態である場合には、下りリンクのリファレンス信号の受信電力と第１の閾値とを比較し、間欠受信状態でない場合には、下りリンクのリファレンス信号の受信SIR、受信レベル、又はチャネル品質インディケータのいずれかと第２の閾値とを比較することを特徴とするユーザ装置。
【請求項１０】
請求項１から請求項９のいずれかに記載のユーザ装置において、
前記同期判定部が下りリンクの同期が確立されていないと判定した場合に、前記下りリンクの同期が確立されていないことを示す情報を上位レイヤに通知する通知部を備えることを特徴とするユーザ装置。
【請求項１１】
無線基地局から送信された下りリンクの信号を受信する受信部と、
前記受信部で受信された下りリンクの信号の無線品質を測定する無線品質測定部と、
上りリンクのリソース状態を管理する状態管理部と、
前記状態管理部から上りリンクのリソース状態が通知され、前記無線基地局との間で無線リンクを確立している接続状態で、かつ、上りリンクのリソースが解放されている状態である場合に、前記無線品質測定部で測定された無線品質に基づいて、下りリンクの同期状態を判定する同期判定部と、
を具備することを特徴とするユーザ装置。
【請求項１２】
請求項１１に記載のユーザ装置において、
前記同期判定部は、前記無線基地局との間で無線リンクを確立している接続状態で、かつ、上りリンクのリソースが解放されている状態である場合と、前記無線基地局との間で無線リンクを確立している接続状態で、かつ、上りリンクのリソースが割り当てられている状態である場合とで、下りリンクの同期状態を判定するための同期判定方式を切り替えることを特徴とするユーザ装置。
【請求項１３】
請求項１１又は請求項１２記載のユーザ装置において、
前記上りリンクのリソースは、上りリンクの制御チャネルのリソースと、サウンディング用のリファレンス信号のリソースであることを特徴とするユーザ装置。
【請求項１４】
請求項１１から請求項１３のいずれかに記載のユーザ装置において、
前記上りリンクのリソースが解放されている状態とは、上りリンクの送信タイミングの同期が維持されていない状態を指し、
前記上りリンクのリソースが割り当てられている状態とは、上りリンクの送信タイミングの同期が維持されている状態を指すことを特徴とするユーザ装置。
【請求項１５】
無線基地局から送信された下りリンクの信号を受信するステップと、
下りリンクで受信された信号の無線品質を測定するステップと、
下りリンクの制御チャネルの監視結果から前記無線基地局との間の通信が間欠受信状態であるか否か管理するステップと、
前記無線基地局との間で無線リンクを確立している接続状態で、かつ、間欠受信状態である場合に、前記無線品質測定部で測定された無線品質に基づいて、下りリンクの同期状態を判定するステップと、
を具備することを特徴とするユーザ装置における下りリンクの同期判定方法。
【請求項１６】
請求項１５記載のユーザ装置における下りリンクの同期判定方法において、
前記無線基地局より、報知情報またはRRC messageを用いて通知される第１の閾値を受信するステップを具備し、
間欠受信状態では、前記第１の閾値と、下りリンクで受信された信号の無線品質とを比較して、下りリンクの同期状態を判定する、
ことを特徴とするユーザ装置における下りリンクの同期判定方法。
【請求項１７】
無線基地局から送信された下りリンクの信号を受信するステップと、
下りリンクで受信された信号の無線品質を測定するステップと、
上りリンクのリソース状態を管理するステップと、
前記無線基地局との間で無線リンクを確立している接続状態で、かつ、上りリンクのリソースが解放されている状態である場合に、下りリンクの信号の無線品質に基づいて、下りリンクの同期状態を判定するステップと、
を具備することを特徴とするユーザ装置における下りリンクの同期判定方法。
【発明の詳細な説明】
【技術分野】
【０００１】
本発明は、無線基地局との間の通信に間欠受信制御が適用されるユーザ装置及びユーザ装置における下りリンクの同期判定方法に関する。
【背景技術】
【０００２】
ＷＣＤＭＡやＨＳＤＰＡの後継となる通信方式、すなわちＬＴＥ（Ｌｏｎｇ  Ｔｅｒｍ  Ｅｖｏｌｕｔｉｏｎ）が、ＷＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が規定されている（例えば、非特許文献１参照）。【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥにおいては、間欠受信(ＤＲＸ:Ｄｉｓｃｏｎｔｉｎｕｏｕｓ  Ｒｅｃｅｐｔｉｏｎ)制御が適用される。間欠受信制御は、無線基地局とユーザ装置とが接続中であり、かつ、通信すべきデータが存在しない場合に適用され、間欠受信状態にあるユーザ装置は、周期的に、すなわち、間欠的に下りリンクの制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を受信する。この場合、ユーザ装置は、全てのタイミングではなく、間欠的にＰＤＣＣＨを受信すればよいため、バッテリーの消費電力を低減すること（バッテリーセービング）が可能となる。上記間欠受信制御における、間欠的に下りリンクの制御チャネルＰＤＣＣＨを受信する時間区間は、ＤＲＸのＯＮ区間、または、Ｏｎ−ｄｕｒａｔｉｏｎと呼ばれる。また、Ｏｎ−ｄｕｒａｔｉｏｎの周期は、ＤＲＸ周期（ＤＲＸ  Ｃｙｃｌｅ）と呼ばれる。【０００６】
移動体通信においては、上りリンク及び下りリンクにおける通信状態が監視され、上りリンクまたは下りリンクの通信状態が劣化した場合には、その劣化した通信状態を回復させるため、接続状態の再構築を行う処理が、無線基地局または移動局ＵＥにて行われる。例えば、無線基地局は、移動局から送信される上りリンクの信号の無線品質を監視し、前記無線品質が劣化した場合には、前記移動局に対して、上りリンクのタイミング同期の再構築を指示したり、あるいは、接続状態の再構築を指示したりすることが可能である。
【先行技術文献】
【非特許文献】
【０００７】
【非特許文献１】3GPP TS 36.211 (V8.3.0), “Physical Channels and Modulation,” May 2008
【非特許文献２】3GPP TS 36.300(V8.4.0), “E-UTRA and E-UTRAN Overall description” March. 2008
【非特許文献３】3GPP TS 36.213 (V8.3.0), “E-UTRA Physical layer procedures,” 4.2.4Transmission timing adjustments, May 2008
【非特許文献４】3GPP TS 36.321 (V8.2.0), “E-UTRA MAC protocol specification,” 5.2Maintenance of Uplink Time Alignment, May 2008
【非特許文献５】R4-081399, “Out of synchronization detection in E-UTRAN, June 2008
【非特許文献６】3GPP TS 36.214, “E-UTRA Physical layer − Measurements”,May 2008
【発明の概要】
【発明が解決しようとする課題】
【０００８】
ところで、間欠受信状態においては、無線基地局と移動局UEとの間でタイミング同期を維持するための制御信号であるＴｉｍｉｎｇ  Ａｄｖａｎｃｅが無線基地局から移動局UEに対して送信されないため、上りリンクのタイミング同期が維持されていない確率が高くなる。上りリンクのタイミング同期が維持されていない場合、移動局ＵＥは上りリンクの送信を行わない。
このように、間欠受信状態の場合は、無線基地局と移動局ＵＥとが接続中であっても、移動局ＵＥは上りリンクの送信を行わない確率が高くなるため、無線基地局において上りリンクの送信から通信環境を把握することが困難になる。したがって、間欠受信状態の場合には上りリンクまたは下りリンクの通信状態が劣化したとしても、その劣化した通信状態を適切に回復させることができないという課題が存在する。【０００９】
本発明は、かかる点に鑑みてなされたものであり、間欠受信状態または上りリンクのタイミング同期が維持されていない状態において、下りリンクにおける同期状態を判定することができるユーザ装置及びユーザ装置における下りリンクの同期判定方法を提供することを目的とする。
【課題を解決するための手段】
【００１０】
本発明のユーザ装置は、無線基地局から送信された下りリンクの信号を受信する受信部と、前記受信部で受信された下りリンクの信号の無線品質を測定する無線品質測定部と、下りリンクの制御チャネルの監視結果から前記無線基地局との間の通信が間欠受信状態であるか否かを管理する状態管理部と、前記状態管理部から間欠受信状態であるか否かが通知され、前記無線基地局との間で無線リンクを確立している接続状態で、かつ、間欠受信状態である場合に、前記無線品質測定部で測定された無線品質に基づいて、下りリンクの同期状態を判定する同期判定部とを具備することを特徴とする。【００１１】
この構成によれば、間欠受信状態には下りリンクの信号の無線品質に基づいて下りリンクの同期状態を判定するので、ユーザ装置において下りリンクの通信状態を把握することができ、無線基地局から指示されることなく、通信状態に応じた適切な処理が可能になる。【００１２】
本発明のユーザ装置は、前記無線基地局との間で無線リンクを確立している接続状態で、かつ、間欠受信状態である場合と、前記無線基地局との間で無線リンクを確立している接続状態で、かつ、間欠受信状態でない場合とで、下りリンクの同期状態を判定するための同期判定方式を切り替えることを特徴とする。【００１３】
この構成によれば、間欠受信状態と非間欠受信状態とでそれぞれの通信状態に合わせて適切な同期判定方式に切り替えて下りリンクの同期判定を行うことができる。
【発明の効果】
【００１４】
本発明によれば、間欠受信状態または上りリンクのタイミング同期が維持されていない状態において、下りリンクにおける同期状態を判定することができるユーザ装置及びユーザ装置における下りリンクの同期判定方法を実現できる。
【図面の簡単な説明】
【００１５】
【図１】本発明の実施例に係る移動局及び無線基地局が適用される無線通信システムのシステム構成図
【図２】実施例に係る無線基地局の機能ブロック構成図
【図３】実施例に係る移動局の機能ブロック構成図
【図４】実施例に係る移動局に備えたベースバンド信号処理部の構成図
【図５】実施例においてＣＱＩ値の算出方法を説明するための図
【図６】実施例において他のＣＱＩ値の算出方法を説明するための図
【図７】実施例における下りリンクの同期判定のためのフロー図
【図８】実施例における下りリンクの同期判定のための他のフロー図
【発明を実施するための形態】
【００１６】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１７】
本発明の実施例に係る移動局及び無線基地局が適用される無線通信システムについて、図１を参照して説明する。
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、無線基地局（ｅＮＢ：  ｅＮｏｄｅ  Ｂ）２００と複数の移動局（ＵＥ：  Ｕｓｅｒ  Ｅｑｕｉｐｍｅｎｔ）１００ｎ（１００１、１００２、１００３、・・・１００ｎ、ｎはｎ＞０の整数）とを備える。無線基地局２００は、上位局、例えばアクセスゲートウェイ装置３００と接続され、アクセスゲートウェイ装置３００は、コアネットワーク４００と接続される。ここで、移動局１００ｎはセル５０において無線基地局２００とＥｖｏｌｖｅｄ  ＵＴＲＡ  ａｎｄ  ＵＴＲＡＮにより通信を行う。尚、前記アクセスゲートウェイ装置３００は、ＭＭＥ／ＳＧＷ (Ｍｏｂｉｌｉｔｙ Ｍａｎａｇｅｍｅｎｔ Ｅｎｔｉｔｙ／Ｓｅｒｖｉｎｇ Ｇａｔｅｗａｙ)と呼ばれてもよい。
【００１８】
以下、移動局１００ｎ（１００１、１００２、１００３、・・・１００ｎ）については、同一の構成、機能、状態を有するので、以下では特段の断りがない限り移動局１００ｎとして説明を進める。説明の便宜上、無線基地局と無線通信するのは移動局であるが、より一般的には移動端末も固定端末も含むユーザ装置（ＵＥ：  Ｕｓｅｒ  Ｅｑｕｉｐｍｅｎｔ）である。
【００１９】
無線通信システム１０００は、無線アクセス方式として、下りリンクについてはＯＦＤＭＡ（周波数分割多元接続）、上りリンクについてはＳＣ−ＦＤＭＡ（シングルキャリア−周波数分割多元接続）が適用される。上述したように、ＯＦＤＭＡは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００２０】
ここで、Ｅｖｏｌｖｅｄ  ＵＴＲＡ  ａｎｄ  ＵＴＲＡＮにおける通信チャネルについて説明する。
下りリンクについては、各移動局１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、下りリンクの制御チャネルである物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とが用いられる。すなわち、下りリンクチャネルは、物理下りリンク共有チャネルと物理下りリンク制御チャネルとを指す。下りリンクでは、物理下りリンク制御チャネルにより、物理下りリンク共有チャネルにマッピングされるユーザの情報やトランスポートフォーマットの情報、物理上りリンク共有チャネルにマッピングされるユーザの情報やトランスポートフォーマットの情報などが通知され、物理下りリンク共有チャネルによりパケットデータが伝送される。また、下りリンクにおいては、上述したＰＤＣＣＨ、ＰＤＳＣＨに加えて、物理上りリンク共有チャネルの送達確認情報を伝送するＰＨＩＣＨ（Ｐｈｙｓｉｃａｌ  Ｈｙｂｒｉｄ  Ｉｎｄｉｃａｔｏｒ  Ｃｈａｎｎｅｌ）が送信される。
【００２１】
尚、物理下りリンク共有チャネルにマッピングされるトランスポートチャネルは下りリンク共有チャネル（ＤＬ−ＳＣＨ：  Ｄｏｗｎｌｉｎｋ  Ｓｈａｒｅｄ  Ｃｈａｎｎｅｌ）である。すなわち、パケットデータは、ＤＬ−ＳＣＨにマッピングされる。また、前記ＤＬ−ＳＣＨには、論理チャネルとして、Ｕ−ｐｌａｎｅの信号であるＤＴＣＨやＣ−ｐｌａｎｅの信号であるＤＣＣＨ、報知情報であるＢＣＣＨ等がマッピングされる。
【００２２】
また、上述した、物理下りリンク共有チャネルにマッピングされるユーザの情報やトランスポートフォーマットの情報は、下りリンクスケジューリング情報（Ｄｏｗｎｌｉｎｋ  Ｓｃｈｅｄｕｌｉｎｇ  Ｉｎｆｏｒｍａｔｉｏｎ）と呼ばれる。前記下りリンクスケジューリング情報は、Ｄｏｗｎｌｉｎｋ  Ａｓｓｉｇｎｍｅｎｔ  ＩｎｆｏｒｍａｔｉｏｎまたはＤｏｗｎｌｉｎｋ  Ｓｃｈｅｄｕｌｉｎｇ  Ｇｒａｎｔと呼ばれてもよい。また、物理上りリンク共有チャネルにマッピングされるユーザの情報やトランスポートフォーマットの情報は、上りリンクスケジューリンググラント（Ｕｐｌｉｎｋ  Ｓｃｈｅｄｕｌｉｎｇ  Ｇｒａｎｔ）と呼ばれる。前記下りリンクスケジューリング情報や上りリンクスケジューリンググラントは、まとめて、下り制御情報（Ｄｏｗｎｌｉｎｋ  Ｃｏｎｔｒｏｌ  Ｉｎｆｏｒｍａｔｉｏｎ）と呼ばれてもよい。
【００２３】
また、下りリンクにおいては、パイロット信号として、下りリンクリファレンス信号（ＤＬ  ＲＳ：Ｄｏｗｎｌｉｎｋ  Ｒｅｆｅｒｅｎｃｅ  Ｓｉｇｎａｌ）が送信される。下りリンクリファレンス信号は、例えば、移動局により下りリンクのチャネル推定や無線品質の測定に用いられる。
【００２４】
上りリンクについては、各移動局１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）とが用いられる。尚、ＬＴＥの上りリンクにおいては、ＣＱＩやＳｃｈｅｄｕｌｉｎｇ  Ｒｅｑｕｅｓｔ、下りリンクの共有チャネルＤＬ−ＳＣＨの送達確認情報（Ａｃｋｎｏｗｌｅｄｇｅｍｅｎｔ  Ｉｎｆｏｒｍａｔｉｏｎ）は、そのサブフレームにおいて、前記物理上りリンク共有チャネルＰＵＳＣＨが送信される場合には、前記ＰＵＳＣＨに多重して送信され、そのサブフレームにおいて、前記物理上りリンク共有チャネルＰＵＳＣＨが送信されない場合には、前記物理上りリンク制御チャネルを用いて、送信される。尚、前記ＣＱＩやＳｃｈｅｄｕｌｉｎｇ  Ｒｅｑｕｅｓｔ、Ａｃｋｎｏｗｌｅｄｇｅｍｅｎｔ  Ｉｎｆｏｒｍａｔｉｏｎ等の制御信号が、前記ＰＵＳＣＨに多重して送信される場合、前記制御信号は前記ＰＵＳＣＨにマッピングされるという構成であってもよく、あるいは、前記制御信号がマッピングされる制御チャネルが前記ＰＵＳＣＨに多重されるという構成であってもよい。
【００２５】
尚、ＬＴＥの上りリンクにおいては、上記物理上りリンク共有チャネルと物理上りリンク制御チャネルに加えて、ランダムアクセス用の物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）が用いられる。
【００２６】
上述したように、ＬＴＥの上りリンクでは、前記物理上りリンク共有チャネルまたは物理上りリンク制御チャネルにより、下りリンクにおける共有チャネルのスケジューリング、適応変復調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理下りリンク共有チャネルの送達確認情報（ＨＡＲＱ  ＡＣＫ  ｉｎｆｏｒｍａｔｉｏｎ）が伝送される。また、物理上りリンク共有チャネルによりパケットデータが伝送される。
【００２７】
尚、物理上りリンク共有チャネルにマッピングされるトランスポートチャネルは上りリンク共有チャネル（ＵＬ−ＳＣＨ：  Ｕｐｌｉｎｋ  Ｓｈａｒｅｄ  Ｃｈａｎｎｅｌ）である。すなわち、パケットデータは、ＵＬ−ＳＣＨにマッピングされる。
【００２８】
尚、上述したパケットデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などのことである。前記パケットデータは、ユーザデータと呼ばれてもよい。また、前記パケットデータは、トランスポートチャネルとしての呼び方は、例えばＤＬ−ＳＣＨやＵＬ−ＳＣＨでよく、論理チャネルとしての呼び方は、例えば、個別トラヒックチャネル（ＤＴＣＨ：  ｄｅｄｉｃａｔｅｄ  ｔｒａｆｆｉｃ  ｃｈａｎｎｅｌ）や個別制御チャネル（ＤＣＣＨ：  ｄｅｄｉｃａｔｅｄ  ｃｏｎｔｒｏｌ  ｃｈａｎｎｅｌ）でよい。
【００２９】
本実施例に係る無線基地局２００について、図２を参照して説明する。
無線基地局２００は、送受信アンテナ２０２と、アンプ部２０４と、送受信部２０６と、ベースバンド信号処理部２０８と、呼処理部２１０と、伝送路インターフェース２１２とを備える。
【００３０】
下りリンクにより無線基地局２００から移動局１００ｎに送信されるパケットデータは、無線基地局２００の上位に位置する上位局、例えばアクセスゲートウェイ装置３００から伝送路インターフェース２１２を介してベースバンド信号処理部２０８に入力される。
【００３１】
ベースバンド信号処理部２０８では、ＰＤＣＰ  ｌａｙｅｒの送信処理、パケットデータの分割・結合、（Ｓｅｇｍｅｎｔａｔｉｏｎ、Ｃｏｎｃａｔｅｎａｔｉｏｎ）、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、上記パケットデータに加えて、報知チャネルにより無線基地局２００から移動局１００ｎに送信される報知情報も、同様の送信処理が行われて、送受信部２０６に転送される。
【００３２】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。
【００３３】
一方、上りリンクにより移動局１００ｎから無線基地局２００に送信されるパケットデータについては、送受信アンテナ２０２で受信された無線周波数信号がアンプ部２０４で増幅され、送受信部２０６で周波数変換されてベースバンド信号に変換され、ベースバンド信号処理部２０８に入力される。
【００３４】
ベースバンド信号処理部２０８では、入力されたベースバンド信号に対して、ＦＦＴ処理、ＩＤＦＴ処理、誤り訂正復号、ＭＡＣ再送制御の受信処理、ＲＬＣ  ｌａｙｅｒの受信処理、ＰＤＣＰ  ｌａｙｅｒの受信処理等がなされ、伝送路インターフェース２１２を介してアクセスゲートウェイ装置３００に転送される。
【００３５】
ここで、パケットデータとは、上述したように、例えば、ＶｏＩＰにおける音声信号や、ＦＴＰ、ストリーミング、Ｗｅｂ  ｂｒｏｗｓｉｎｇ等の各アプリケーションで伝送される信号のことである。
【００３６】
呼処理部２１０は、移動局１００ｎと無線基地局２００との間の通信状態の管理、無線基地局２００の状態管理やリソース割り当てを行う。
また、呼処理部２１０は、報知チャネルにより移動局１００ｎに通知するシステムインフォメーションを生成する。前記システムインフォメーションは、ベースバンド信号処理部２０８、送受信部２０６、アンプ部２０４、送受信アンテナ２０２を介して、移動局１００ｎに送信される。尚、前記システムインフォメーションは、例えば、ダイナミック報知チャネル（Ｄ−ＢＣＨ：  Ｄｙｎａｍｉｃ  Ｂｒｏａｄｃａｓｔ  Ｃｈａｎｎｅｌ)により伝送される。尚、前記ダイナミック情報チャネルにより伝送される情報は、例えば、Ｓｙｓｔｅｍ  Ｉｎｆｏｒｍａｔｉｏｎ  Ｂｌｏｃｋ  ２（ＳＩＢ２）やＳｙｓｔｅｍ  Ｉｎｆｏｒｍａｔｉｏｎ  Ｂｌｏｃｋ  ３（ＳＩＢ３）、Ｓｙｓｔｅｍ  Ｉｎｆｏｒｍａｔｉｏｎ  Ｂｌｏｃｋ  ４（ＳＩＢ４）等である。
【００３７】
ここで、呼処理部２１０は、前記システムインフォメーション内の一部の情報として、Ｑｒｘｌｅｖｍｉｎ（あるいは、q-Rxlevmin）を、移動局１００ｎに送信する。尚、呼処理部２１０は、前記Ｑｒｘｌｅｖｍｉｎの値を、セル半径やセル内の混雑度、システム帯域幅、セル内の在圏数、当該セルが都市部に存在するか郊外地に存在するかといった情報等に基づいて、設定してもよい。
前記Ｑｒｘｌｅｖｍｉｎは、Ｃｅｌｌ  Ｓｅｌｅｃｔｉｏｎのための情報の一部として定義されてもよい。
尚、以下に、待ち受け状態における、Ｑｒｘｌｅｖｍｉｎに基づいた圏外判定の一例を以下に示す。尚、待ち受け状態とは、Ｉｄｌｅ状態のことであってもよい。
移動局１００ｎは、待ち受け状態において、在圏するセルを選択するＣｅｌｌ  Ｓｅｌｅｃｔｉｏｎの処理を行う。具体的には、移動局１００ｎは、Ｃｅｌｌ  Ｓｅｌｅｃｔｉｏｎにおいて、下りリンクのリファレンス信号の受信レベルであるＲＳＲＰと、前記Ｑｒｘｌｅｖｍｉｎとを比較し、前記ＲＳＲＰが前記Ｑｒｘｌｅｖｍｉｎより大きい場合、すなわち、
ＲＳＲＰ  ＞  Ｑｒｘｌｅｖｍｉｎ
である場合、該セルを在圏するセルとして選択し、上記以外の場合、すなわち、
ＲＳＲＰ  ≦  Ｑｒｘｌｅｖｍｉｎ
である場合に、該セルを在圏するセルとして選択しないという処理を行う。尚、在圏するとして選択可能なセルが１つも存在しない場合、該移動局１００ｎは、圏外となる。また、ＲＳＲＰ＞Ｑｒｘｌｅｖｍｉｎであるセルが複数存在する場合には、最もＲＳＲＰの大きいセルが在圏するセルとして選択される。
尚、上述した判定においては、Ｓｒｘｌｅｖ  ＝  ＲＳＲＰ−Ｑｒｘｌｅｖｍｉｎというメトリックを定義し、
Ｓｒｘｌｅｖ  ＞０の場合に、該セルを在圏するセルとして選択し、上記以外の場合、すなわち、Ｓｒｘｌｅｖ≦０の場合に、該セルを在圏するセルとして選択しないという処理が行われてもよい。尚、上述した、「該セルを在圏するセルとして選択する」とは、「該セルに関してＣｅｌｌ  ｓｅｌｅｃｔｉｏｎの判断基準を満たす」という意味であってもよい。
ここで、一般に、移動体通信においては、上りリンクのセル半径と下りリンクのセル半径は共通であることが望ましい。また、上りリンクのセル半径は、移動局の送信電力に上限があるため、下りリンクのセル半径に比べて制約を受ける場合が多い。よって、一般的なセル設計においては、屋内や屋外、都市部や郊外地といったセルの形態に基づいて上りリンクのセル半径が決定され、下りリンクのセル半径が、前記上りリンクのセル半径と一致するように、調節される。ここで、前記下りリンクのセル半径は、例えば、前記Ｑｒｘｌｅｖｍｉｎの値に基づいて調節されてもよい。例えば、Ｑｒｘｌｅｖｍｉｎの値を大きくした場合、ＲＳＲＰの値がより高い場合でないとＣｅｌｌ  Ｓｅｌｅｃｔｉｏｎが行われないため、結果としてセル半径が小さくなる。あるいは、Ｑｒｘｌｅｖｍｉｎの値を小さくした場合、ＲＳＲＰの値がより低い場合であっても、Ｃｅｌｌ  Ｓｅｌｅｃｔｉｏｎが行われるため、結果としてセル半径が大きくなる。
すなわち、待ち受け状態においては、無線基地局２００と移動局１００ｎとの間にコネクションが確立されていないため、無線基地局２００は、前記Ｑｒｘｌｅｖｍｉｎを用いて、移動局１００ｎが圏外となるか否かの調節を行う。
尚、Ｑｒｘｌｅｖｍｉｎは、例えば、該セルにおける最小の受信レベルあるいは最小の所要受信レベルと呼ばれてもよい。
また、Ｑｒｘｌｅｖｍｉｎは、報知情報の中のＳｙｓｔｅｍ  Ｉｎｆｏｒｍａｔｉｏｎ  Ｂｌｏｃｋ  Ｔｙｐｅ  １の中の情報要素の１つとして、無線基地局２００から移動局１００ｎに通知されてもよい。
あるいは、呼処理部２１０は、前記Ｑｒｘｌｅｖｍｉｎを、無線リソース制御メッセージ（ＲＲＣ  ｍｅｓｓａｇｅ）により、移動局１００ｎに送信してもよい。例えば、前記Ｑｒｘｌｅｖｍｉｎは、Ｈａｎｄｏｖｅｒ  ｃｏｍｍａｎｄ信号の一部として通知されてもよい。あるいは、前記Ｑｒｘｌｅｖｍｉｎは、Ｃｏｎｎｅｃｔｉｏｎ  Ｒｅｌｅａｓｅ信号の一部として通知されてもよい。
【００３８】
尚、移動局１００ｎに通知される前記Ｑｒｘｌｅｖｍｉｎは、移動局１００ｎがＩｄｌｅ状態、すなわち、待ち受け状態において、移動局１００ｎが、サービス圏内に位置するか否かを判定するためのＲＳＲＰの値の閾値として用いられる。
【００３９】
また、移動局１００ｎに通知される前記Ｑｒｘｌｅｖｍｉｎは、移動局１００ｎがＲＲＣ  ｃｏｎｎｅｃｔｅｄ状態、すなわち、ＲＲＣ接続状態で、かつ、間欠受信状態（ＤＲＸ状態）である場合に、移動局１００ｎが、サービス圏内に位置するか否かを判定するためのＲＳＲＰの値の閾値として用いられてもよい。
【００４０】
また、移動局１００ｎに通知される前記Ｑｒｘｌｅｖｍｉｎは、移動局１００ｎがＲＲＣ  ｃｏｎｎｅｃｔｅｄ状態、すなわち、ＲＲＣ接続状態で、かつ、上りリンクにおいてタイミング同期が確立されていない状態である場合に、移動局１００ｎが、サービス圏内に位置するか否かを判定するためのＲＳＲＰの値の閾値として用いられてもよい。
【００４１】
尚、サービス圏内に位置するとは、例えば、無線品質的に通信可能なエリアに位置することを意味する。あるいは、移動局１００ｎがサービス圏内に位置するとは、例えば、上りリンク、または、下りリンクにおいて、同期状態を確立することが可能であるエリアに位置することを意味する。
【００４２】
次に、本発明の実施例に係る移動局１００nについて、図３を参照して説明する。移動局１００nは、アンテナ１０２と、アンプ部１０４と、送受信部１０６と、ベースバンド信号処理部１０８と、呼処理部１１０とアプリケーション部１１２とを具備する。
【００４３】
無線基地局２００により送信された下りリンクの信号は、アンテナ１０２で受信され、該アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号等の受信処理がなされる。
【００４４】
尚、ベースバンド信号処理部１０８では、後述するように、下りリンクのリファレンス信号を用いて、下りリンクの無線品質が測定される。そして、下りリンクの品質情報に基づいて、下りリンクの同期状態に関する判定処理が行われる。
【００４５】
一方、上りリンクのパケットデータについては、アプリケーション部１１２からベースバンド信号処理部１０８に入力される。ベースバンド信号処理部１０８では、ＰＤＣＰレイヤーの処理や、パケットデータの分割・結合（Ｓｅｇｍｅｎｔａｔｉｏｎ・Ｃｏｎｃａｔｅｎａｔｉｏｎ）、ＲＬＣ（ｒａｄｉｏ  ｌｉｎｋ  ｃｏｎｔｒｏｌ）再送制御の送信処理などのＲＬＣレイヤーの送信処理や、再送制御（Ｈ−ＡＲＱ  （Ｈｙｂｒｉｄ  ＡＲＱ））の送信処理等のＭＡＣレイヤーの送信処理、チャネル符号化、ＤＦＴ処理、ＩＦＦＴ処理等が行われて送受信部１０６に転送される。送受信部１０６では、ベースバンド信号処理部１０８から入力されたベースバンド信号を無線周波数帯に変換する周波数変換処理が施され、その後、アンプ部１０４で増幅されて送受信アンテナ１０２より送信される。
【００４６】
尚、上述したパケットデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などである。また、パケットデータは、論理チャネルとしての呼び方は、例えば、個別トラヒックチャネル（ＤＴＣＨ：  Ｄｅｄｉｃａｔｅｄ  Ｔｒａｆｆｉｃ  Ｃｈａｎｎｅｌ）やＤＣＣＨ（ＤＣＣＨ：  Ｄｅｄｉｃａｔｅｄ  Ｃｏｎｔｒｏｌ  Ｃｈａｎｎｅｌ）である。
【００４７】
次に、ベースバンド信号処理部１０８の構成について、図４を参照して説明する。
ベースバンド信号処理部１０８は、アナログ／ディジタル変換器（Ａ／Ｄ）１０８０と、ＣＰ除去部１０８１と、ＦＦＴ１０８２と、ＤｅＭＵＸ１０８３と、データ信号復号部１０８４と、下りリンクリファレンス信号受信部１０８５と、下りリンク無線品質測定部１０８６と、同期状態判定部１０８７と、ＭＡＣ処理部１０８８と、ＲＬＣ処理部１０８９と、信号生成部１０９０と、送信処理部１０９１とＤＲＸ状態・上りリソース状態管理部１０９２とを備える。
【００４８】
アナログディジタル変換器（Ａ／Ｄ）１０８０は、送受信部１０６より入力されたベースバンドのアナログ信号をディジタル信号に変換し、該ディジタル信号をＣＰ除去部１０８１に入力する。
【００４９】
ＣＰ除去部１０８１は受信シンボルからＣＰを除去し、有効シンボル部分を残し、該有効シンボル部分をＦＦＴ１０８２に入力する。高速フーリエ変換部（ＦＦＴ）１０８２は、入力された信号を高速フーリエ変換し、ＯＦＤＭ方式の復調を行い、復調された信号を分離部（ＤｅＭＵＸ）１０８３に入力する。
【００５０】
分離部（ＤｅＭＵＸ）１０８３は、受信信号から下りリンクのリファレンス信号とデータ信号とを分離し、下りリンクのリファレンス信号を下りリンクリファレンス信号受信部１０８５に入力し、データ信号をデータ信号復号部１０８４に入力する。
【００５１】
下りリンクリファンレス信号受信部１０８５は、入力された下りリンクのリファレンス信号に基づいてチャネル推定を行い、受信したデータ信号にどのようなチャネル補償がなされるべきかを決定する、すなわち、チャネル推定値を算出する。下りリンクリファンレス信号受信部１０８５は、算出したチャネル推定値をデータ信号復号部１０８４に入力する。また、下りリンクリファンレス信号受信部１０８５は、下りリンクのリファレンス信号とチャネル推定値を、下りリンク無線品質測定部１０８６に入力する。
【００５２】
データ信号復号部１０８４は、下りリンクリファンレス信号受信部１０８５よりチャネル推定結果を受け取り、該チャネル推定結果に基づいて、下りリンクのデータ信号を補償し、無線基地局２００から送信されたデータ信号を復元する。ここで、データ信号とは、無線基地局２００より送信された報知チャネルや下りリンクの共有チャネル、下りリンクの制御チャネルの信号のことである。ここで、上記報知チャネルとは、より具体的には、物理報知チャネル（Ｐ−ＢＣＨ：  Ｐｈｙｓｉｃａｌ  Ｂｒｏａｄｃａｓｔ  Ｃｈａｎｎｅｌ）やダイナミック報知チャネル（Ｄ−ＢＣＨ：  Ｄｙｎａｍｉｃ  Ｂｒｏａｄｃａｓｔ  Ｃｈａｎｎｅｌ)のことである。また、下りリンクの制御チャネルとは、物理下りリンク制御チャネル（ＰＤＣＣＨ）にマッピングされているＤＬ  Ｓｃｈｅｄｕｌｉｎｇ  Ｉｎｆｏｒｍａｔｉｏｎ、  ＵＬ  Ｓｃｈｅｄｕｌｉｎｇ  Ｇｒａｎｔ等である。また、データ信号復号部１０８４は、前記チャネルに加えて、前記上りリンクの共有チャネルのための送達確認情報がマッピングされている物理ＨＡＲＱインディケータチャネル（PHICH: Physical HARQ Indicator Channel）に関して、復号処理を行ってもよい。
【００５３】
データ信号復号部１０８４は、復号後のデータ信号をＭＡＣ処理部１０８８に入力する。また、データ信号復号部１０８４は、Ｐ−ＢＣＨやＤ−ＢＣＨに含まれる情報を取得し、必要に応じて、移動局１００n内部の各部に通知する。
【００５４】
下りリンク無線品質測定部１０８６は、下りリンクリファンレス信号受信部１０８５より、下りリンクのリファレンス信号とチャネル推定値を受け取る。そして、下りリンク無線品質測定部１０８６は、上記下りリンクのリファレンス信号とチャネル推定値に基づいて、下りリンクの無線品質を測定する。ここで、下りリンクの無線品質とは、例えば、Ｃｈａｎｎｅｌ  Ｑｕａｌｉｔｙ  Ｉｎｄｉｃａｔｏｒ（ＣＱＩ）や、下りリンクのリファレンス信号の受信ＳＩＲ、下りリンクのリファレンス信号の受信電力（ＲＳＲＰ：Ｒｅｆｅｒｅｎｃｅ  Ｓｉｇｎａｌ  Ｒｅｃｅｉｖｅｄ  Ｐｏｗｅｒ）、ＲＳＲＱ等である。
【００５５】
以下に、さらに詳しく説明する。
例えば、下りリンク無線品質測定部１０８６は、下りリンクのリファレンス信号のＳＩＲを算出し、ＳＩＲと表１に示すような参照テーブルとを用いてＣＱＩを算出してもよい。表１には、ＣＱＩとＳＩＲの値との対応が示される。
【表１】
2010018818.tif 000003
【００５６】
尚、表１に示す値はあくまで一例であり、適宜異なる値が設定されてもよい。また、表１に示されるＳＩＲの値は、例えば、所定の変調方式、リソースブロック数、データサイズのデータ信号を受信した場合に、所定の誤り率以下で受信可能であるＳＩＲであり、予め評価され、該評価結果に基づいて設定されてもよい。
【００５７】
ここで、下りリンク無線品質測定部１０８６は、図５に示すように、システム帯域全体の周波数帯域に関する平均値を算出してもよいし、システム帯域の中心に位置する、言い換えればシステム帯域の中心周波数を含む１．０８ＭＨｚの周波数帯域に関する平均値を算出してもよい。図５には、システム帯域の中心周波数を含む６個のリソースブロックが示されている。図５において、横軸は周波数である。システム帯域の中心に位置する１．０８ＭＨｚの周波数帯域は、ＬＴＥにおいては同期チャネル（ＳＣＨ：  Ｓｙｎｃｈｒｏｎｉｚａｔｉｏｎ  Ｃｈａｎｎｅｌ、あるいは、Ｓｙｎｃｈｒｏｎｉｚａｔｉｏｎ  Ｓｉｇｎａｌ）が送信される周波数帯域である。あるいは、リソースブロック毎のＣＱＩ値を算出してもよいし、あるいは、より柔軟に、システム帯域内の任意に設定される周波数帯域に関するＣＱＩ値を算出してもよい。尚、前記システム帯域全体の周波数帯域に関する平均値は、Ｗｉｄｅｂａｎｄ  ＣＱＩと呼ばれてもよい。
【００５８】
あるいは、図６に示すように、複数のリソースブロックをグループ化した周波数帯域（以下、リソースブロックグループと呼ぶ）毎のＣＱＩ値を算出してもよい。図６においては、一例として５個のリソースブロックをグループ化して、１つのリソースブロックグループとしている場合を示す。図６において、横軸は周波数である。また、リソースブロック毎あるいはリソースブロックグループ毎のＣＱＩ値を算出する場合、ＣＱＩ値の大きい方からＭ個（Ｍは、Ｍ＞０の整数）のリソースブロックあるいはリソースブロックグループのＣＱＩ値を算出してもよい。上記Ｍの値は、報知情報あるいはＲＲＣ  ｍｅｓｓａｇｅにより、無線基地局２００から指定される。あるいは、移動局１００ｎは、前記リソースブロックあるいはリソースブロックグループのＣＱＩ値を全て算出し、その算出した、リソースブロックあるいはリソースブロックグループ毎の値を無線基地局２００に報告してもよい。尚、前記リソースグループ毎のＣＱＩ値は、Ｓｕｂｂａｎｄ  ＣＱＩと呼ばれてもよい。また、上記例においては、１つのリソースブロックグループ内のリソースブロック数を５としているが、５以外の値であってもよい。
【００５９】
そして、下りリンク無線品質測定部１０８６は、算出したＣＱＩ値を同期状態判定部１０８７と、信号生成部１０９０に入力する。
【００６０】
あるいは、下りリンク無線品質測定部１０８６は、上述したＣＱＩ値を求めるために算出した下りリンクのリファレンス信号のＳＩＲを、下りリンクの無線品質として、同期状態判定部１０８７に入力してもよい。尚、この場合も、ＣＱＩと同様に、周波数方向の測定区間は、システム帯域全体であってもよいし、システム帯域の中心に位置する６リソースブロックであってもよいし、いくつかのリソースブロックがグループ化されたリソースブロックグループであってもよい。
【００６１】
また、下りリンク無線品質測定部１０８６は、下りリンクの無線品質として、ＲＳＲＰを算出し、前記ＲＳＲＰを同期状態判定部１０８７に入力する。ＲＳＲＰ(Ｒｅｆｅｒｅｎｃｅ  Ｓｉｇｎａｌ  Ｒｅｃｅｉｖｅｄ  Ｐｏｗｅｒ)とは、下りリンクのリファレンス信号の受信電力である。下りリンク無線品質測定部１０８６は、下りリンクリファンレス信号受信部１０８５により入力された、下りリンクのリファレンス信号とチャネル推定値を用いて、下りリンクのリファレンス信号の受信電力（ＲＳＲＰ:  Ｒｅｆｅｒｅｎｃｅ  Ｓｉｇｎａｌ  Ｒｅｃｅｉｖｅｄ  Ｐｏｗｅｒ）を算出する。（下りリンクのリファレンス信号の受信電力の定義については、非特許文献６参照）。尚、ＲＳＲＰに関しても、ＣＱＩと同様に、周波数方向の測定区間は、システム帯域全体であってもよいし、システム帯域の中心に位置する６リソースブロックであってもよいし、いくつかのリソースブロックがグループ化されたリソースブロックグループであってもよい。
あるいは、下りリンク無線品質測定部１０８６は、下りリンクの無線品質として、ＲＳＲＱを算出し、前記ＲＳＲＱを同期状態判定部１０８７に入力する。ＲＳＲＱ(Ｒｅｆｅｒｅｎｃｅ  Ｓｉｇｎａｌ  Ｒｅｃｅｉｖｅｄ  ＱｕａｌｉｔｙＰｏｗｅｒ)とは、下りリンクのリファレンス信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。ここで、ＲＳＳＩとは、移動局において観測されるトータルの受信レベルであり、熱雑音や他セルからの干渉電力、自セルからの希望信号の電力等の全てを含んだ受信レベルのことである。（ＲＳＲＱの定義については、非特許文献６参照）。尚、ＲＳＲＱに関しても、ＣＱＩと同様に、周波数方向の測定区間は、システム帯域全体であってもよいし、システム帯域の中心に位置する６リソースブロックであってもよいし、いくつかのリソースブロックがグループ化されたリソースブロックグループであってもよい。尚、下りリンク無線品質測定部１０８６がＲＳＲＱを測定する場合、ベースバンド信号処理部は、図４に示すように、ＦＦＴ１０８２で高速フーリエ変換が行われた信号が、直接、下りリンク無線品質測定部１０８６に入力されるように構成されていてもよいし、あるいは、ＣＰ除去部１０８１に入力される前の信号が、直接、下りリンク無線品質測定部１０８６に入力されるように構成されていてもよい。
【００６２】
同期状態判定部１０８７は、下りリンク無線品質測定部１０８６よりＣＱＩ値と下りリンクのリファレンス信号のＳＩＲとＲＳＲＰとＲＳＲＱとを受け取る。また、同期状態判定部１０８７は、無線基地局２００より報知チャネルまたはＲＲＣ  ｍｅｓｓａｇｅを介して送信されたＱｒｘｌｅｖｍｉｎを受け取る。そして、該ＣＱＩ値と下りリンクのリファレンス信号のＳＩＲとＲＳＲＰとＲＳＲＱ等に基づき、下りリンクの同期状態を判定する。
【００６３】
ここで、同期状態判定部１０８７は、該移動局１００ｎが間欠受信状態（ＤＲＸ状態）であるか否かに基づいて、図７に示すフロー図にしたがって下りリンクの同期状態を判定してもよい。尚、以下の説明では、該移動局１００ｎはＲＲＣ  ｃｏｎｎｅｃｔｅｄ状態であることを前提としている。尚、ＲＲＣ  ｃｏｎｎｅｃｔｅｄ状態とは、無線基地局２００と移動局１００ｎとの間で、ＲＲＣレイヤの観点でコネクションが構築されている状態のことを指す。
【００６４】
例えば、同期状態判定部１０８７は、該移動局１００ｎが間欠受信状態（ＤＲＸ状態）である場合には（ステップＳ１）、ＲＳＲＰと、前記Ｑｒｘｌｅｖｍｉｎとを用いて、下りリンクの同期状態を判定する（ステップＳ２）。すなわち、同期状態判定部１０８７は、ＲＳＲＰの値がＱｒｘｌｅｖｍｉｎ未満の場合に同期は確立されていないと判定し（ステップＳ３）、ＲＳＲＰの値がＱｒｘｌｅｖｍｉｎ以上の場合に同期は確立されていると判定する（ステップＳ４）。例えば、Ｑｒｘｌｅｖｍｉｎの値として、−１３０ｄＢｍという値が設定されてもよい。尚、上記−１３０ｄＢｍという値は一例であり、上記以外の値が設定されてもよい。尚、同期状態判定部１０８７は、ＲＳＲＰ値を用いて同期状態を判定する場合に、ヒステリシスを用いて判定してもよい。例えば、同期が確立されていると判定している状態においてＲＳＲＰ値が所定のＱｒｘｌｅｖｍｉｎ未満の場合に同期は確立されていないと判定し、同期が確立されていないと判定している状態においてＲＳＲＰ値が「Ｑｒｘｌｅｖｍｉｎ＋２ｄＢ」以上の場合に同期は確立されていると判定してもよい。尚、上記２ｄＢがヒステリシスに相当する。
尚、上述した例において、「間欠受信状態（ＤＲＸ状態）である場合」とは、「ＤＲＸ  Ｉｎａｃｔｉｖｉｔｙ  Ｔｉｍｅｒが満了している場合」という意味であってもよい。すなわち、「間欠受信状態（ＤＲＸ状態である）」とは、上りリンク及び下りリンクにおいて、送受信すべきパケットデータが存在せず、ユーザ装置は、ＤＲＸ制御におけるＯｎ−ｄｕｒａｔｉｏｎ区間においてのみ、下りリンクの制御チャネルであるＰＤＣＣＨをモニターするという状態であってもよい。
あるいは、逆に、「間欠受信状態（ＤＲＸ状態）でない場合」とは、
ＤＲＸに関連するパラメータが設定されていない、あるいは、
ＤＲＸに関連するパラメータが設定されていて、かつ、
ＤＲＸ  ｉｎａｃｉｔｉｖｉｔｙ  ｔｉｍｅｒが走っている、あるいは、
ＤＲＸ  ｒｅｔｒａｎｓｍｉｓｓｉｏｎ  ｔｉｍｅｒが走っている、あるいは、
Ｍａｃ  ｃｏｎｔｅｎｔｉｏｎ  ｒｅｓｏｌｕｔｉｏｎ  ｔｉｍｅｒが走っている、あるいは、
ＰＵＣＣＨのスケジューリングリクエストがＰｅｎｄｉｎｇになっている、あるいは、
上りリンクのＨＡＲＱ再送の再送タイミングである、あるいは、
明示的に通知されたＲＡプリアンブルに対するＲＡリスポンスの受信の後、ユーザ装置のＣ−ＲＮＴＩが指定されたＰＤＣＣＨを受信していない
という状態であってもよい。この場合、上記以外の状態が、間欠受信状態（ＤＲＸ状態）に相当する。
【００６５】
ここで、同期状態判定部１０８７は、下りリンクの同期が確立されていると判定している状態において、ＲＳＲＰ値が所定のＱｒｘｌｅｖｍｉｎ未満である状態が所定の時間間隔Ｔ１以上連続した場合に、移動局１００nと無線基地局２００との間の下りリンクの同期は確立されていないと判定してもよい。尚、上記例において、「ＲＳＲＰ値がＱｒｘｌｅｖｍｉｎ未満である状態が所定の時間間隔Ｔ１以上連続した場合に、移動局１００nと無線基地局２００との間の下りリンクの同期は確立されていないと判定する」という処理を行う代わりに、「ＲＳＲＰ値がＱｒｘｌｅｖｍｉｎ未満である状態が、所定の測定回数、あるいは、測定機会Ｔ１以上連続した場合に、移動局１００nと無線基地局２００との間の下りリンクの同期は確立されていないと判定する」という処理を行ってもよい。ここで、あるいは、下りリンクの同期が確立されていると判定している状態において、所定の時間間隔Ｔ１における、ＲＳＲＰ値が所定の閾値Ｑｒｘｌｅｖｍｉｎ未満である時間の割合が所定の閾値ＴＨ１以上である場合に、移動局１００nと無線基地局２００との間の下りリンクの同期は確立されていないと判定してもよい。尚、例えば、上記所定の時間間隔Ｔ１とは、例えば、２００ｍｓであってもよい。あるいは、上記ＴＨ１の値として、例えば５０％という値が設定されてもよい。尚、上述した２００ｍｓや５０％という値は一例であり、上記以外の値が設定されてもよい。
【００６６】
一方、同期状態判定部１０８７は、下りリンクの同期が確立されていないと判定している状態において、1回でもＲＳＲＰ値がＱｒｘｌｅｖｍｉｎ以上である事象が発生した場合に、移動局１００nと無線基地局２００との間の下りリンクの同期は確立されていると判定してもよい。あるいは、同期状態判定部１０８７は、下りリンクの同期が確立されていないと判定している状態において、ＲＳＲＰ値がＱｒｘｌｅｖｍｉｎ以上である状態が所定の時間間隔Ｔ１以上連続した場合に、移動局１００nと無線基地局２００との間の下りリンクの同期は確立されていると判定してもよい。尚、上記例において、「ＲＳＲＰ値がＱｒｘｌｅｖｍｉｎ以上である状態が所定の時間間隔Ｔ１以上連続した場合に、移動局１００nと無線基地局２００との間の下りリンクの同期は確立されていると判定する」という処理を行う代わりに、「ＲＳＲＰ値がＱｒｘｌｅｖｍｉｎ以上である状態が、所定の測定回数、あるいは、測定機会Ｔ２以上連続した場合に、移動局１００nと無線基地局２００との間の下りリンクの同期は確立されていると判定する」という処理を行ってもよい。あるいは、下りリンクの同期が確立されていないと判定している状態において、所定の時間間隔Ｔ１における、ＲＳＲＰ値がＱｒｘｌｅｖｍｉｎ以上である時間の割合が所定の閾値ＴＨ１以上である場合に、移動局１００nと無線基地局２００との間の下りリンクの同期は確立されていると判定してもよい。尚、上記Ｔ１の値として、例えば２００ｍｓという値が設定されてもよい。あるいは、上記ＴＨ１の値として、例えば５０％という値が設定されてもよい。尚、上述した２００ｍｓや５０％という値は一例であり、上記以外の値が設定されてもよい。
また、無線基地局２００と移動局１００ｎとの間の通信が間欠受信状態である場合に、ステップＳ２の処理では下りリンクのリファレンス信号の受信電力と閾値Ｑｒｘｌｅｖｍｉｎとを比較しているが、本発明は間欠受信状態である場合における下りリンクの同期判定方式はリファレンス信号の受信電力とＱｒｘｌｅｖｍｉｎとの比較に限定されない。たとえば、下りリンクのリファレンス信号のＣＱＩ、リファレンス信号の受信レベル、又はＲＳＲＱと無線基地局２００より通知される閾値とを比較する判定方式を採用しても良い。尚、この場合であっても、間欠受信状態である場合の下りリンクの同期判定方式は、待ち受け状態における圏外判定またはＣｅｌｌ  Ｓｅｌｅｃｔｉｏｎの判定の方法と同一であることが望ましい。間欠受信状態における同期判定方式と、待ち受け状態における圏外判定が同一であることにより、移動局の実装の複雑さ（Ｃｏｍｐｌｅｘｉｔｙ）を低減することが可能となる。あるいは、例えば、ステップＳ２の処理において、下りリンクのリファレンス信号のＣＱＩや、リファレンス信号の受信レベル（ＲＳＲＰ）、ＲＳＲＱの内の複数に関して、無線基地局２００より通知される閾値とを比較して、下りリンクの同期判定が行われてもよい。
【００６７】
一方、同期状態判定部１０８７は、該移動局１００ｎが間欠受信状態（ＤＲＸ状態）でない場合、すなわち、Ｎｏｎ―ＤＲＸ状態である場合には、下りリンクのリファレンス信号のＳＩＲと、閾値ＴＨ２とを用いて、下りリンクの同期状態を判定してもよい。
すなわち、同期状態判定部１０８７は、下りリンクのリファレンス信号のＳＩＲの値が閾値ＴＨ２未満の場合に（ステップＳ５）、下りリンクの同期は確立されていないと判定し（ステップＳ３）、下りリンクのリファレンス信号のＳＩＲがＴＨ２以上の場合に（ステップＳ５）、下りリンクの同期は確立されていると判定する（ステップＳ４）。例えば、閾値ＴＨ２の値として、−６ｄＢという値が設定されてもよい。尚、上記−６ｄＢという値は一例であり、上記以外の値が設定されてもよい。尚、同期状態判定部１０８７は、下りリンクのリファレンス信号のＳＩＲを用いて同期状態を判定する場合に、ヒステリシスを用いて判定してもよい。例えば、同期が確立されていると判定している状態において下りリンクのリファレンス信号のＳＩＲがＴＨ２未満の場合に同期は確立されていないと判定し、同期が確立されていないと判定している状態において下りリンクのリファレンス信号のＳＩＲが「ＴＨ２＋２ｄＢ」以上の場合に同期は確立されていると判定してもよい。尚、上記２ｄＢがヒステリシスに相当する。
【００６８】
ここで、同期状態判定部１０８７は、下りリンクの同期が確立されていると判定している状態において、下りリンクのリファレンス信号のＳＩＲが所定のＴＨ２未満である状態が所定の時間間隔Ｔ２以上連続した場合に、移動局１００nと無線基地局２００との間の下りリンクの同期は確立されていないと判定してもよい。尚、上記例において、「下りリンクのリファレンス信号のＳＩＲがＴＨ２未満である状態が所定の時間間隔Ｔ２以上連続した場合に、移動局１００nと無線基地局２００との間の下りリンクの同期は確立されていないと判定する」という処理を行う代わりに、「下りリンクのリファレンス信号のＳＩＲがＴＨ２未満である状態が、所定の測定回数、あるいは、測定機会Ｔ２以上連続した場合に、移動局１００nと無線基地局２００との間の下りリンクの同期は確立されていないと判定する」という処理を行ってもよい。ここで、あるいは、下りリンクの同期が確立されていると判定している状態において、所定の時間間隔Ｔ２における、下りリンクのリファレンス信号のＳＩＲが所定の閾値ＴＨ２未満である時間の割合が所定の閾値ＴＨ３以上である場合に、移動局１００nと無線基地局２００との間の下りリンクの同期は確立されていないと判定してもよい。尚、例えば、上記所定の時間間隔Ｔ２とは、例えば、２００ｍｓであってもよい。あるいは、上記ＴＨ３の値として、例えば５０％という値が設定されてもよい。尚、上述した２００ｍｓや５０％という値は一例であり、上記以外の値が設定されてもよい。
【００６９】
一方、同期状態判定部１０８７は、下りリンクの同期が確立されていないと判定している状態において、1回でも下りリンクのリファレンス信号のＳＩＲがＴＨ２以上である事象が発生した場合に、移動局１００nと無線基地局２００との間の下りリンクの同期は確立されていると判定してもよい。あるいは、同期状態判定部１０８７は、下りリンクの同期が確立されていないと判定している状態において、下りリンクのリファレンス信号のＳＩＲがＴＨ２以上である状態が所定の時間間隔Ｔ２以上連続した場合に、移動局１００nと無線基地局２００との間の下りリンクの同期は確立されていると判定してもよい。尚、上記例において、「下りリンクのリファレンス信号のＳＩＲがＴＨ２以上である状態が所定の時間間隔Ｔ２以上連続した場合に、移動局１００nと無線基地局２００との間の下りリンクの同期は確立されていると判定する」という処理を行う代わりに、「下りリンクのリファレンス信号のＳＩＲがＴＨ２以上である状態が、所定の測定回数、あるいは、測定機会Ｔ２以上連続した場合に、移動局１００nと無線基地局２００との間の下りリンクの同期は確立されていると判定する」という処理を行ってもよい。あるいは、下りリンクの同期が確立されていないと判定している状態において、所定の時間間隔Ｔ２における、下りリンクのリファレンス信号のＳＩＲがＴＨ２以上である時間の割合が所定の閾値ＴＨ３以上である場合に、移動局１００nと無線基地局２００との間の下りリンクの同期は確立されていると判定してもよい。尚、上記Ｔ２の値として、例えば２００ｍｓという値が設定されてもよい。あるいは、上記ＴＨ３の値として、例えば５０％という値が設定されてもよい。尚、上述した２００ｍｓや５０％という値は一例であり、上記以外の値が設定されてもよい。
【００７０】
尚、上記閾値ＴＨ２は、例えば、移動局１００ｎ内部のパラメータとして保持されてもよい。また、無線基地局２００と移動局１００ｎとの間の通信が間欠受信状態でない場合に、ステップＳ５の処理では下りリンクのリファレンス信号の受信ＳＩＲと閾値ＴＨ２とを比較しているが、本発明は間欠受信状態でない場合における下りリンクの同期判定方式はリファレンス信号の受信ＳＩＲと閾値ＴＨ２との比較に限定されない。たとえば、下りリンクのリファレンス信号のＣＱＩ、リファレンス信号の受信レベル、又はＲＳＲＱと閾値ＴＨ４とを比較する判定方式を採用しても良い。
以下に、Ｎｏｎ−ＤＲＸ状態で、下りリンクの同期状態を判定する無線品質として、ＲＳＲＰを用いない理由を以下に示す。
一般に、受信電力ＲＳＲＰよりも、ＳＩＲの方が、より通信の品質を表す指標であると考えられる。例えば、受信電力ＲＳＲＰが高い場合であっても、干渉電力あるいは雑音電力が高い場合、通信の品質は劣化する。一方、受信電力ＲＳＲＰが高く、かつ、干渉電力あるいは雑音電力が高い場合、ＳＩＲのＩの部分が大きくなるため、ＳＩＲの値は小さくなり、上記劣化した通信の品質を直接的に表すことが可能となる。
一方、一般に、上述したＳＩＲのＩの部分は、他セルの混雑状況やフェージング等により激しく変動する値であり、ＳＩＲそのものの値も大きく変動する。この場合、例えば、上述した下りリンクの同期状態において、「下りリンクの同期状態が確立している／していない」の判定がばたつく確率が高くなる。
すなわち、ＳＩＲは、受信電力ＲＳＲＰに比べて、より直接的に通信の品質を表すことが可能だが、同期状態の判定のばたつきが大きくなるという傾向がある。
以上の性質を踏まえると、パケットデータの送受信が行われないＤＲＸ状態においては、同期状態の判定のばたつきを抑えるために、受信電力ＲＳＲＰを用い、パケットデータの送受信が行われるＮｏｎ−ＤＲＸ状態においては、同期状態の判定のばたつきが大きくなるデメリットが存在したとしても、より通信の品質を直接的に表すことのできるＳＩＲを用いるといった制御を行うことにより、より直接的に通信の品質を表すＳＩＲを用いるといった制御が有効となる。すなわち、上述した、ＤＲＸ状態とＮｏｎ−ＤＲＸ状態とで異なる無線品質（ＲＳＲＰとＳＩＲ）を用いることにより、ＤＲＸ状態及びＮｏｎ−ＤＲＸ状態のそれぞれに適した同期状態の判定を行うことが可能となる。
【００７１】
ところで、上述したように、該移動局１００ｎが間欠受信状態（ＤＲＸ状態）であるか否かに基づいて、下りリンクの同期状態を判定する代わりに、該移動局１００ｎが上りリンクのリソースが解放されている状態であるか否かに基づいて、下りリンクの同期状態を判定するように構成しても良い。上りリンクのリソースが解放されている状態とは、無線基地局２００と移動局１００ｎとの間で、上りリンクのタイミング同期が維持されていない状態のことを指す。ここで、上りリンクのタイミング同期が維持されていない状態とは、タイムアライメントタイマーが満了している状態、あるいは、タイムアライメントタイマーが起動されていない状態という意味であってもよい。尚、上りリンクのリソースが解放されている状態であるか否かの情報は、後述するように、ＤＲＸ状態・上りリソース状態管理部１０９２で管理され、同期状態判定部１０８７に通知される。
【００７２】
図８は該移動局１００ｎが上りリンクのリソースが解放されている状態であるか否かに基づいて、下りリンクの同期状態を判定するためのフロー図である。移動局１００ｎは、無線基地局２００からＴｉｍｉｎｇ  Ａｄｖａｎｃｅを受信したタイミングからＴｉｍｅ  Ａｌｉｇｎｍｅｎｔ  Ｔｉｍｅｒを起動、もしくは、再起動し、Ｔｉｍｅ  Ａｌｉｇｎｍｅｎｔ  Ｔｉｍｅｒが満了した時点で、上りリンクのタイミング同期は維持されていないと判断する。間欠受信状態においては、一般的には、無線基地局２００と移動局１００ｎとの間で、データのやり取りが行われないため、Ｔｉｍｉｎｇ  Ａｄｖａｎｃｅも送信されない。すなわち、間欠受信状態においては、上りリンクのタイミング同期が維持されていない場合が多い。したがって、図８に示すように、間欠受信状態の代わりに、上りリンクのリソース解放状態を判断し（ステップＳ１０）、上りリンクのリソース解放状態に応じて、下りリンクの同期状態を判定するための異なる判定方式であるステップＳ２とステップＳ５とを切り替えるように構成することができる。
【００７３】
尚、同期状態判定部１０８７は、移動局１００nの下りリンクの同期状態を呼処理部１１０（上位レイヤ）と、信号生成部１０９０に通知する。尚、呼処理部１１０は、同期状態判定部１０８７から下りリンクの同期状態が確立していないという情報を受け取ってから、所定の時間区間、その状態（下りリンクの同期状態が確立していないという状態）が継続した場合に、無線基地局２００と移動局１００ｎとの間のコネクションを再構築する処理を行うと決定し、前記コネクションを再構築する処理を行ってもよい。前記コネクションを再構築する処理は、例えば、ＲＲＣ  Ｃｏｎｎｅｃｔｉｏｎ  Ｒｅ−ｅｓｔａｂｌｉｓｈｍｅｎｔと呼ばれてもよい。
【００７４】
ＭＡＣ処理部１０８８は、データ信号復号部１０８４より、復号されたＤｏｎｗｌｉｎｋ  Ｓｃｈｅｄｕｌｉｎｇ  ＩｎｆｏｒｍａｔｉｏｎやＵＬ  Ｓｃｈｅｄｕｌｉｎｇ  Ｇｒａｎｔ、上りリンクの共有チャネルに対する送達確認情報、下りリンクの共有チャネルを受信する。
【００７５】
ＭＡＣ処理部１０８８は、入力されたＵＬ  Ｓｃｈｅｄｕｌｉｎｇ  Ｇｒａｎｔに基づき、上りリンクのユーザデータの送信フォーマットの決定や、ＭＡＣレイヤーにおける再送制御（ＨＡＲＱ）等の送信処理を行う。すなわち、データ信号復号部１０８４より入力されたＵＬ  Ｓｃｈｅｄｕｌｉｎｇ  Ｇｒａｎｔにより、無線基地局２００から、上りリンクにおいて共有チャネルを用いた通信を行うことを指示された場合には、移動局１００n内のデータバッファに存在するパケットデータに関して、送信フォーマットの決定や再送制御（ＨＡＲＱ）等の送信処理を行い、そのパケットデータを信号生成部１０９０に与える。
【００７６】
ＭＡＣ処理部１０８８は、下りリンクに関しては、例えば、データ信号復号部１０８４より受信したＤＬ  Ｓｃｈｅｄｕｌｉｎｇ  Ｉｎｆｏｒｍａｔｉｏｎに基づき、下りリンクのパケットデータのＭＡＣ再送制御の受信処理等を行う。
【００７７】
また、ＭＡＣ処理部１０８８は、無線基地局２００から該移動局１００ｎ宛に送信されたＰＤＣＣＨ、すなわち、Ｄｏｗｎｌｉｎｋ  Ｓｃｈｅｄｕｌｉｎｇ  ＩｎｆｏｒｍａｔｉｏｎやＵｐｌｉｎｋ  Ｓｃｈｅｄｕｌｉｎｇ  Ｇｒａｎｔを監視し、その監視結果をＤＲＸ状態・上りリソース状態管理部１０９２に通知する。
【００７８】
また、ＭＡＣ処理部１０８８は、無線基地局２００から該移動局１００ｎ宛に送信されたＴｉｍｉｎｇ  Ａｄｖａｎｃｅを受信し、その受信結果をＤＲＸ状態・上りリソース状態管理部１０９２と信号生成部１０９０を介して、送信処理部１０９１に通知する。
【００７９】
ＲＬＣ（Ｒａｄｉｏ  Ｌｉｎｋ  Ｃｏｎｔｒｏｌ）処理部１０８９は、上りリンクに関しては、パケットデータの分割・結合（Ｓｅｇｍｅｎａｔｉｏｎ・Ｃｏｎｃａｔｅｎａｔｉｏｎ）、ＲＬＣ（ｒａｄｉｏ  ｌｉｎｋ  ｃｏｎｔｒｏｌ）再送制御の送信処理などのＲＬＣレイヤーの送信処理を行い、下りリンクに関しては、パケットデータの分割・結合（Ｓｅｇｍｅｎａｔｉｏｎ・Ｃｏｎｃａｔｅｎａｔｉｏｎ）、ＲＬＣ再送制御の受信処理等のＲＬＣレイヤーの受信処理を行う。尚、ＲＬＣ処理部１０８９においては、上記ＲＬＣレイヤーの処理に加えて、ＰＤＣＰ  ｌａｙｅｒの処理が行われてもよい。
【００８０】
また、ＲＬＣ処理部１０８９は、無線基地局２００より送信される報知チャネルやＲＲＣ  ｍｅｓｓａｇｅに含まれる情報を、呼処理部１１０に通知する。
【００８１】
信号生成部１０９０は、同期状態判定部１０８７より、移動局１００nの下りリンクの同期状態を受け取り、ＣＱＩ算出部１０８６より、ＣＱＩ値を受け取る。
【００８２】
信号生成部１０９０は、上りリンクで送信する上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報、ランダムアクセスのためのプリアンブル信号（ランダムアクセスチャネル）等の信号生成処理、例えば、符号化やデータ変調等の処理を行う。上記処理が行われた後の信号が、送信処理部１０９１に送信される。
【００８３】
また、信号生成部１０９０は、同期状態判定部１０８７より、移動局１００nの下りリンクの同期状態に関して、同期が確立していないという状態であるという判定結果を受信した場合に、上りリンクの送信を停止してもよい。あるいは、信号生成部１０９０は、同期状態判定部１０８７より、移動局１００nの下りリンクの同期状態に関して、同期が確立していないという状態であるという判定結果を受信してから、所定の時間区間、その状態（下りリンクの同期状態が確立していないという状態）が継続した場合に、上りリンクの送信を停止してもよい。結果として、移動局１００nは、下りリンクの同期状態が確立されていない場合に、上りリンクの信号の送信を行わない。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。
【００８４】
また、信号生成部１０９０は、ＤＲＸ状態・上りリソース状態管理部１０９２より、該移動局１００ｎが、該移動局１００ｎと無線基地局２００との間で上りリンクのタイミング同期が確立されている状態にないという情報を受信した場合には、上りリンクの送信を停止する。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。
【００８５】
尚、信号生成部１０９０は、下りリンクの同期が確立されていない場合、あるいは、該移動局１００ｎと無線基地局２００との間で上りリンクのタイミング同期が確立されていない状態においても、ランダムアクセスチャネルのみは送信処理を行ってもよい。すなわち、信号生成部１０９０は、下りリンクの同期が確立されていない場合に、ランダムアクセスチャネル以外の信号の送信処理を停止する。
【００８６】
あるいは、信号生成部１０９０は、下りリンクの同期が確立されていない場合に、ランダムアクセスチャネルも含めたすべての上りリンクの信号の送信処理を停止してもよい。
【００８７】
送信処理部１０９１は、ＤＦＴ処理やＩＦＦＴ処理、ＣＰ挿入処理等の送信処理を行う。
また、送信処理部１０９１は、ＭＡＣ処理部１０８８より、信号生成部１０９０を経由して通知されたＴｉｍｉｎｇ  Ａｄｖａｎｃｅに基づき、上りリンクの送信タイミングを調節する。
ＤＲＸ状態・上りリソース状態管理部１０９２は、ＭＡＣ処理部１０８８より、無線基地局２００から該移動局１００ｎ宛に送信されたＰＤＣＣＨの監視結果と、無線基地局２００から該移動局１００ｎ宛に送信されたＴｉｍｉｎｇ  Ａｄｖａｎｃｅの受信結果を受信する。そして、ＤＲＸ状態・上りリソース状態管理部１０９２は、前記ＰＤＣＣＨの監視結果に基づき、該移動局１００ｎのＤＲＸ状態を管理する。また、ＤＲＸ状態・上りリソース状態管理部１０９２は、前記Ｔｉｍｉｎｇ  Ａｄｖｎａｃｅの受信結果に基づき、上りリソース状態を管理する。
【００８８】
以下に、より詳しく説明する。
例えば、ＤＲＸ状態・上りリソース状態管理部１０９２は、該移動局１００ｎがＮｏｎ  ＤＲＸ状態にある場合に、無線基地局２００より、新規送信を指示するＰＤＣＣＨ、すなわち、Ｄｏｗｎｌｉｎｋ  Ｓｃｈｅｄｕｌｉｎｇ  ＩｎｆｏｒｍａｉｔｏｎまたはＵｐｌｉｎｋ  Ｓｃｈｅｄｕｌｉｎｇ  Ｇｒａｎｔを受信したタイミングから、ＤＲＸ  Ｉｎａｃｔｉｖｅ  Ｔｉｍｅｒを起動、もしくは、再起動する。そして、ＤＲＸ状態・上りリソース状態管理部１０９２は、前記ＤＲＸ  Ｉｎａｃｔｉｖｅ  Ｔｉｍｅｒが満了した時点で、該移動局１００ｎはＮｏｎ  ＤＲＸ状態からＤＲＸ状態に遷移したと判断する。尚、ＤＲＸ状態・上りリソース状態管理部１０９２は、該移動局１００ｎがＤＲＸ状態にある場合に、新規送信を指示するＰＤＣＣＨを受信した場合には、該移動局１００ｎはＤＲＸ状態からＮｏｎ  ＤＲＸ状態に遷移したと判断する。尚、ＤＲＸ状態として、Ｓｈｏｒｔ  ＤＲＸ状態とＬｏｎｇ  ＤＲＸ状態の二種類が定義されてもよい。ＤＲＸ状態・上りリソース状態管理部１０９２は、該移動局１００ｎがＤＲＸ状態にあるか、それとも、Ｎｏｎ  ＤＲＸ状態にあるかの情報を同期状態判定部１０８７に通知する。
尚、ＤＲＸ状態・上りリソース状態管理部１０９２は、上述した判定に加えて、例えば、スケジューリングリクエストがペンディングされている状態においては、Ｎｏｎ  ＤＲＸ状態にあるとみなすといった判定を行ってもよい。尚、スケジューリングリクエストとは、移動局から無線基地局に対して送信される、上りリンクのリソース割り当てを要求する制御信号のことである。
【００８９】
また、ＤＲＸ状態・上りリソース状態管理部１０９２は、該移動局１００ｎと無線基地局２００との間で上りリンクのタイミング同期が確立されている状態において、無線基地局２００より、Ｔｉｍｉｎｇ  Ａｄｖａｎｃｅを受信したタイミングから、Ｔｉｍｅ  Ａｌｉｇｎｍｅｎｔ  Ｔｉｍｅｒを起動、もしくは、再起動する。ここで、Ｔｉｍｉｎｇ  Ａｄｖａｎｃｅを受信したタイミングにおいて、Ｔｉｍｅ  Ａｌｉｇｎｍｅｎｔ  Ｔｉｍｅｒが起動されていない場合には、Ｔｉｍｅ  Ａｌｉｇｎｍｅｎｔ  Ｔｉｍｅｒが起動され、Ｔｉｍｉｎｇ  Ａｄｖａｎｃｅを受信したタイミングにおいて、すでにＴｉｍｅ  Ａｌｉｇｎｍｅｎｔ  Ｔｉｍｅｒが起動されている場合には、Ｔｉｍｅ  Ａｌｉｇｎｍｅｎｔ  Ｔｉｍｅｒが再起動される。そして、ＤＲＸ状態・上りリソース状態管理部１０９２は、前記Ｔｉｍｅ  Ａｌｉｇｎｍｅｎｔ  Ｔｉｍｅｒが満了した時点で、該移動局１００ｎは、該移動局１００ｎと無線基地局２００との間で上りリンクのタイミング同期が確立されている状態からタイミング同期が確立されていない状態に遷移したと判断する。ＤＲＸ状態・上りリソース状態管理部１０９２は、該移動局１００ｎが、該移動局１００ｎと無線基地局２００との間で上りリンクのタイミング同期が確立されている状態にあるか否かの情報を同期状態判定部１０８７と信号生成部１０９０に通知する。尚、上りリンクのタイミング同期が確立されていない状態に遷移した場合、該移動局１００ｎは、上りリンクのリソースを解放する。すなわち、上りリンクのタイミング同期が確立されている／されていないという状態は、上りリンクのリソースが解放されていない／されているという状態とほぼ同義である。ここで、前記上りリンクのリソースとは、例えば、ＰＵＣＣＨのリソースやサウンディング用のリファレンス信号のリソースである。すなわち、移動局１００ｎは、ＰＵＣＣＨの送信やサウンディング用のリファレンス信号の送信を停止する。
尚、上述した、上りリンクのタイミング同期は、Ｕｐｌｉｎｋ  Ｔｉｍｅ  Ａｌｉｇｎｍｅｎｔと呼ばれてもよい。
【００９０】
呼処理部１１０は、通信チャネルの設定や解放、ハンドオーバ等の呼処理や、移動局１００ｎの状態管理を行う。例えば、呼処理部１１０は、無線基地局２００から送信される報知情報やＲＲＣ  ｍｅｓｓａｇｅを受信し、必要に応じて、報知情報やＲＲＣ  ｍｅｓｓａｇｅに含まれる情報を移動局１００ｎの各部に通知する。具体的には、呼処理部１１０は、報知チャネル又はＲＲＣ  ｍｅｓｓａｇｅにマッピングされたＱｒｘｌｅｖｍｉｎを受け取る。そして、前記Ｑｒｘｌｅｖｍｉｎを、同期状態判定部１０８７に通知する。
【００９１】
アプリケーション部１１２は、物理レイヤーやＭＡＣレイヤー、ＲＬＣレイヤー、ＰＤＣＰレイヤーより上位のレイヤーに関する処理等を行う。
【００９２】
以上のように本実施例によれば、移動局１００ｎが間欠受信状態（又は上りリンクのリソースが解放された状態）である場合には、ＲＳＲＰと、無線基地局２００より通知されるＱｒｘｌｅｖｍｉｎとを用いて、下りリンクの同期状態を判定するので、間欠受信状態（又は上りリンクのリソースが解放された状態）の間も移動局１００ｎにおいて無線基地局２００との間の通信状況を適切に把握でき、移動局１００ｎから無線基地局２００への上りリンクの送信がなかったとしても、通信状況に応じた適切な処理を実行できる。
【００９３】
また本実施例によれば、間欠受信状態（又は上りリンクのリソースが解放された状態）において下りリンクの無線品質と比較する閾値として、無線基地局２００との通信を停止するアイドル状態時の圏外判定に用いるＱｒｘｌｅｖｍｉｎを利用するので、適切な同期判定が可能になる。すなわち、前記Ｑｒｘｌｅｖｍｉｎは、屋内のセルや屋外のセル、都市部のセルや郊外地のセルといったセルの形態に応じて異なる値が設定される値であり、間欠受信状態において、下りリンクの無線品質と比較する閾値として前記Ｑｒｘｌｅｖｍｉｎを用いることにより、前記セルの形態に応じた、下りリンクの同期状態の判定を行うことが可能となる。また、間欠受信状態における同期判定の方法と、アイドル状態における圏外判定の方法を同一にすることにより、移動局の実装の複雑さ（Ｃｏｍｐｌｅｘｉｔｙ）を低減することが可能となる。
【００９４】
また本実施例によれば、移動局１００ｎが間欠受信状態である場合（又は上りリンクのリソースが解放された状態）と、間欠受信状態でない場合（又は上りリンクのリソースが解放されていない状態）とで、同期判定方式を切り替えているので、上述したように、間欠受信状態及び非間欠受信状態のそれぞれにとって適切な同期判定を行うことができるといった効果が得られる。
【００９５】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る移動局及移動局における下りリンクの同期判定方法は、下りリンクにおいて共有チャネルを用いた通信を行っている全てのシステムにおいて適用することが可能である。
【００９６】
また、上述した説明においては、「下りリンクの同期が確立されていない／外れている」という表現を用いたが、これは、「下りリンクの同期が外れている／外れていない」や「Downlink Out-of-Synchronization/Downlink In-Synchronization」という表現と同等である。
【００９７】
説明の便宜上、発明の理解を促すため具体的な数値例を用いて説明されるが、特に断りのない限り、それらの数値は単なる一例に過ぎず適切な如何なる値が使用されてよい。
【００９８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【産業上の利用可能性】
【００９９】
本発明は、下りリンクにおいて共有チャネルを用いた通信を行っている通信システムに適用可能である。
【図１】
2010018818.tif 000004
【図２】
2010018818.tif 000005
【図３】
2010018818.tif 000006
【図４】
2010018818.tif 000007
【図５】
2010018818.tif 000008
【図６】
2010018818.tif 000009
【図７】
2010018818.tif 000010
【図８】
2010018818.tif 000011
【国際調査報告】
2010018818.tif 000012
2010018818.tif 000013
2010018818.tif 000014
2010018818.tif 000015